(57)【要約】      （修正有）【課題】ランプ周囲温度が高温になってランプインピーダンスが小さくなった場合に無駄なランプ電流を抑制してランプ寿命を延命させることができるとともに部品ヘのストレスを低減させることができる放電灯点灯装置および照明装置を提供する。【解決手段】放電灯点灯装置１０および照明装置は、直流電源Ｅと、スイッチング素子Ｑ１，Ｑ２を有するインバータ回路１１と、インダクタＴ１とコンデンサＣ１からなる共振回路１２と、共振電圧が印加される放電灯Ｌａと、共振電流又は共振電圧を検出する検出回路１６と、検出回路１６の検出値に応じ放電灯Ｌａに供給する電力を目標出力に対して略一定にするべくインバータ回路１１の動作周波数を可変させる帰還制御回路１５と、インバータ回路１１の発振周波数を切り替える発振周波数制御手段１４と、周囲温度を検知する温度検知部１３と、周囲温度によって最低動作周波数を高くする手段とを備える。【選択図】図２
2011204554.tif 000002
【特許請求の範囲】
【請求項１】
直流電源と、
前記直流電源の出力を高周波でスイッチングするスイッチング素子を有するインバータ回路と、
前記インバータ回路の高周波出力が印加されるインダクタとコンデンサからなる共振回路と、
前記共振回路の共振電圧が印加される放電灯と、
前記共振回路の共振電流又は共振電圧を検出する検出回路と、
前記検出回路の検出値に応じ前記放電灯に供給する電力を目標出力に対して略一定にするべく前記インバータ回路の動作周波数を可変させる帰還制御回路と、
前記インバータ回路の発振周波数を切り替える発振周波数制御手段と、
周囲温度を検知する温度検知部と、
前記周囲温度によって最低動作周波数を高くする手段とを備える放電灯点灯装置。
【請求項２】
請求項１に記載の放電灯点灯装置において、
前記温度検知部により前記周囲温度が一定の温度以上になると最低動作周波数を高くする手段を備える放電灯点灯装置。
【請求項３】
請求項１または請求項２に記載の放電灯点灯装置において、
前記温度検知部を前記インバータ回路部のスイッチング素子もしくは前記共振回路のインダクタに近接して配置する放電灯点灯装置。
【請求項４】
請求項１〜３のうちのいずれかに記載の放電灯点灯装置と、
前記放電灯点灯装置を装着する本体と、
前記放電灯点灯装置から電力が供給される放電灯とを備える照明装置。
【発明の詳細な説明】
【技術分野】
【０００１】
本発明は、放電灯を点灯させる放電灯点灯装置および放電灯点灯装置を装備する照明装置に関する。
【背景技術】
【０００２】
従来より放電灯の点灯時に定電圧制御を行うようにした放電灯点灯装置および照明装置が知られている（例えば、特許文献１参照）。
【先行技術文献】
【特許文献】
【０００３】
【特許文献１】特開２０００−１２２６６号公報（図１、段落番号００１１，００１２）
【発明の概要】
【発明が解決しようとする課題】
【０００４】
図８に示すように、上記特許文献１の放電灯点灯装置１００は、直流電源Ｅに、ＭＯＳＦＥＴよりなるスイッチング素子Ｑ２，Ｑ３の直列回路が抵抗Ｒ６を介して接続されている。直流電源Ｅとスイッチング素子Ｑ２の接続点には、放電灯Ｌａの予熱電極Ｆ１の電源側端子が接続されている。放電灯Ｌａの予熱電極Ｆ１，Ｆ２の非電源側端子間には共振用（および予熱電流通電用）の始動コンデンサＣ６が並列接続されている。放電灯Ｌａの予熱電極Ｆ２の電源側端子とスイッチング素子Ｑ２，Ｑ３の接続点の間には直流カット用のカップリングコンデンサＣ５を介して共振用（および限流用）のインダクタンス要素であるバラストチョークＴ１が接続されている。
【０００５】
スイッチング素子Ｑ２，Ｑ３はＭＯＳＦＥＴよりなり、集積回路よりなる制御回路ＩＣ２からの駆動信号により交互にオン・オフ駆動される。制御回路ＩＣ２において、１番ピンは制御電源電圧入力端子、２番、４番ピンは駆動信号電圧出力端子、３番ピンは基準電圧出力端子、５番ピンは異常検出用入力端子、６番ピンは発振周波数を決定する電流を出力する電流出力端子、７番ピンは発振周波数を決定するコンデンサの充放電のための電流入出力端子、図示しない８番ピンはグランド端子である。
【０００６】
スイッチング素子Ｑ３に直列接続された抵抗Ｒ６の両端には抵抗Ｒ１１とダイオードＤ６を介してコンデンサＣ９が接続されており、コンデンサＣ９の端子電圧は制御回路ＩＣ２の５番ピンに入力されている。抵抗Ｒ６，Ｒ１１とダイオードＤ６及びコンデンサＣ９は異常検出回路１０１を構成している。異常検出回路１０１は放電灯Ｌａの異常を検出する回路である。
【０００７】
制御回路ＩＣ２の動作電源は、直流電源Ｅから抵抗Ｒ１を介してコンデンサＣ３に充電された電圧をツェナーダイオードＤＺにより定電圧化した直流電圧である。この直流電圧は、誤差増幅器１０２の抵抗Ｒ９，Ｒ１０により分圧されてオペアンプＩＣ３の非反転入力端子に印加されている。オペアンプＩＣ３の反転入力端子と出力端子の間にはコンデンサＣ２が接続されている。オペアンプＩＣ３の反転入力端子には、スイッチング素子Ｑ３と直列接続された抵抗Ｒ６に生じる高周波電圧を抵抗Ｒ５とコンデンサＣ８とよりなる積分回路１０３で平均化した電圧が印加されている。オペアンプＩＣ３の出力端子はダイオードＤ５のカソードに接続されており、ダイオードＤ５のアノードは抵抗Ｒ３を介して抵抗Ｒ２と制御回路ＩＣ２の６番ピンの接続点に接続されている。制御回路ＩＣ２の６番ピンに接続された抵抗Ｒ２と７番ピンに接続されたコンデンサＣ４の他端とは接地されており、これらの時定数により制御回路ＩＣ２の発振周波数が決定される。
【０００８】
次に、エミレス検出回路１０４の構成について説明する。誤差増幅器１０２と積分回路１０３とを含むエミレス検出回路１０４は、放電灯Ｌａのエミレス点灯を検出するとともに、発振周波数を制御するための電圧を出力する回路であり、放電灯Ｌａに流れる高周波電流を検出抵抗Ｒ６により検出し、この検出抵抗Ｒ６で検出された高周波電圧を抵抗Ｒ５とコンデンサＣ８からなる積分回路１０３で平均化し、この積分回路１０３の出力電圧と誤差増幅器１０２の抵抗Ｒ９，Ｒ１０の接続点に得られる基準電圧とが等しくなるように、オペアンプＩＣ３の出力電圧を変化させて抵抗Ｒ３に流入する電流を制御する。
【０００９】
インバータ回路１０５は、直流電源Ｅが投入されると、直流電源Ｅ→起動抵抗Ｒ１→制御電源コンデンサＣ３→直流電源Ｅの閉ループで電流が流れ、制御電源コンデンサＣ３が充電される。制御電源コンデンサＣ３の電圧は制御回路ＩＣ２の１番ピンに印加され、制御電源コンデンサＣ３の電圧が上昇し、制御回路ＩＣ２の動作電圧に達すると、制御回路ＩＣ２が発振を開始する。この発振により制御回路ＩＣ２の２番ピンからスイッチング素子Ｑ２のゲートに、４番ピンからスイッチング素子Ｑ３のゲートに高周波で交互に電圧がそれぞれ印加され、スイッチング素子Ｑ２，Ｑ３が交互にオン・オフ動作を行い、インバータ回路１０５が高周波で発振する。
【００１０】
これにより、インバータ回路１０５は、スイッチング素子Ｑ３がオンのときは、直流電源Ｅ→予熱電極Ｆ１→始動コンデンサＣ６→予熱電極Ｆ２→カップリングコンデンサＣ５→バラストチョークＴ１→スイッチング素子Ｑ３→検出抵抗Ｒ６→直流電源Ｅの閉ループで、スイッチング素子Ｑ２がオンのときは、カップリングコンデンサＣ５→予熱電極Ｆ２→始動コンデンサＣ６→予熱電極Ｆ１→スイッチング素子Ｑ２→バラストチョークＴ１→カップリングコンデンサＣ５の閉ループで電流が交互に流れ、バラストチョークＴ１、カップリングコンデンサＣ５、予熱電極Ｆ２、始動コンデンサＣ６、予熱電極Ｆ１の直列回路に高周波電流が流れる。
【００１１】
このとき、（カップリングコンデンサＣ５の容量）≫（始動コンデンサＣ６の容量）の関係があり、バラストチョークＴ１と始動コンデンサＣ６のＬＣ直列共振によって始動コンデンサＣ６に共振高電圧が生じ、この共振高電圧が放電灯Ｌａに印加され、放電灯Ｌａが点灯する。
【００１２】
図９（Ａ）に示す放電灯Ｌａの正常点灯時に抵抗Ｒ６に発生する高周波電圧波形、図９（Ｂ）に示す放電灯Ｌａの不点灯時に抵抗Ｒ６に発生する高周波電圧波形において、正常放電灯Ｌａを接続のとき、異常検出回路１０１の検出抵抗Ｒ６には高周波電圧が生じるが、整流ダイオードＤ６の整流作用で平滑コンデンサＣ９の電圧は、この高周波電圧のピーク値Ｖ１となっている。そのため、ピーク値ＶＩが印加されている制御回路ＩＣ２の異常検出用入力端子（５番ピン）の動作電圧Ｖ５との関係がＶ１＜Ｖ５となるように設定されているため、制御回路ＩＣ２の発振は継続している。
【００１３】
一方、検出抵抗Ｒ６に生じた高周波電圧がエミレス検出回路１０４の積分回路１０３によって平均化され、この直流電圧が誤差増幅器１０２のオペアンプＩＣ３の反転入力端子に入力されている。ところで、制御回路ＩＣ２の発振周波数はコンデンサＣ４の容量値と、制御回路ＩＣ２の電流出力端子（６番ピン）から主発振抵抗Ｒ２，Ｒ３に流出する電流値で決定され、この電流値が大きいほど発振周波数が高い。そして、電流出力端子（６番ピン）から抵抗Ｒ３に流れる電流は、オペアンプＩＣ３の出力電圧の変化に応じて変化することにより、制御回路ＩＣ２の発振周波数が制御される。従って、制御回路ＩＣ２の発振周波数の制御は、積分回路１２の出力電圧が、オペアンプＩＣ３の非反転入力端子の基準電圧に等しくなるように、オペアンプＩＣ３の出力電圧が制御されることにより行われる。この結果、検出抵抗Ｒ６を流れる高周波電流の平均値、すなわち、放電灯Ｌａの予熱電極Ｆ１、Ｆ２で消費される電力の和が一定に保たれる。このように、検出抵抗Ｒ６に流れる高周波の平均電流がエミレス検出回路１０４で設定された値に保持されるように、エミレス検出回路１０４が制御回路ＩＣ２の発振周波数を制御している。
【００１４】
次に、放電灯Ｌａの寿命末期あるいは不良で放電灯Ｌａが不点灯の状態の動作について説明する。バラストチョークＴ１、カップリングコンデンサＣ５、予熱電極Ｆ１、始動コンデンサＣ６及び予熱電極Ｆ２の直列回路に高周波電流が流れた後、放電灯Ｌａが寿命末期等で異常電力を消費する状態となった場合でも、エミレス検出回路１０４が作用し、検出抵抗Ｒ６に流れる高周波の平均電流が設定値に保持されるように制御回路ＩＣ２の発振周波数が制御される。
【００１５】
しかし、放電灯Ｌａが寿命末期あるいは不良の場合、（カップリングコンデンサＣ５の容量）≫（始動コンデンサＣ６の容量）の関係があり、バラストチョークＴ１と始動コンデンサＣ６とのＬＣ直列共振によって始動コンデンサＣ６に共振高電圧が生じ、この共振高電圧が放電灯Ｌａに印加されるが、放電灯Ｌａが点灯しない。
このとき、異常検出回路１０１の検出抵抗Ｒ６には高周波電圧が生じるが、整流ダイオードＤ６の整流作用で平滑コンデンサＣ９の電圧は、ほぼこの高周波電圧のピーク値Ｖ３となっており、ピーク値Ｖ３が印加されている集積回路ＩＣ２の異常検出用入力端子（５番ピン）の動作電圧Ｖ５との関係がＶ３＞Ｖ５となるように設定されているため、制御回路ＩＣ２の発振は停止する。そして、直流電源Ｅから起動抵抗Ｒ１を介して供給されている電流により、この発振停止状態が保持される。
【００１６】
次に、放電灯Ｌａが寿命末期で放電灯Ｌａが電力を過剰に消費するエミレス点灯状態の場合は、放電灯Ｌａは予熱電極Ｆ１、Ｆ２に塗布されている電子放射物質が消耗された状態のエミレス状態（電子放出不良状態）で点灯しているため、放電灯Ｌａの電圧が上昇しているが、誤差増幅器１０２により、放電灯Ｌａの正常点灯時と比較して、オペアンプＩＣ３の出力電圧が低下し、制御回路ＩＣ２の発振周波数が高い状態となり、正常点灯時と同様に、放電灯Ｌａで消費される電力の和が一定に保たれる。
【００１７】
このように放電灯点灯装置１００では、スイッチング素子Ｑ３に直列接続された検出抵抗Ｒ６の電圧を検出してオペアンプＩＣ３によるフィードバック制御を行い、正常放電灯点灯時、寿命末期放電灯点灯時ともに電力が一定となるように制御していると同時に、放電灯Ｌａが異常で不点灯となった場合には検出抵抗Ｒ６の電圧が高くなることを利用して発振停止させているため、簡単な構成で安全性を高くすることができる。
【００１８】
ところが、上記特許文献１の放電灯点灯装置１００では、定電力制御を行う場合に寿命末期にランプ電圧が高い状態、つまりランプインピーダンスが増加している状態を考慮する以外に、正常点灯時に使用される放電灯の周囲温度特性を考慮しなければならない。すなわち、放電灯Ｌａのインピーダンスは温度依存性があり、一般の蛍光灯の水銀ランプでは最冷点温度、アマルガム入りランプでは封入されているアマルガムの温度によってランプインピーダンスが変化する。
【００１９】
図１０に示すように、ランプ単体点灯において常温以上では周囲温度が高くなるにつれてランプインピーダンスは小さくなる。つまり、ランプを器具内に設置して使用される場合には器具形状、ランプ設置方向によりランプインピーダンスが変化するということになる。従って、上記特許文献１の放電灯点灯装置１００のように定電力制御を用いて、放電灯Ｌａの定格ランプ電力付近で定電力制御を行おうとすると、常温でランプを器具込み状態で施工する器具の構造、例えば器具で放電灯を覆う構造になっている場合と、放電灯が剥き出しになっている構造とではランプインピーダンスが全く変わってしまう。つまり、同一の放電灯であっても、放電灯を覆う構造の照明装置と、放電灯が剥き出しの構造の照明装置とでは、放電灯が覆われる構造の方が放電灯の周囲温度が高くなるために、ランプインピーダンスも異なり、剥き出し構造の照明装置に比べて放電灯を覆う構造の照明装置ではランプインピーダンスが小さくなるので、放電灯の定格ランプ電流以上の電流が放電灯に流れ、放電灯の短寿命をもたらすことになる。
【００２０】
図１１に示すように、放電灯Ｌａの高温時には、ランプインピーダンスが低下して周波数がｆｃｈに変動することにより電流が増加する。これにより、放電灯Ｌａに定格ランプ電流以上の電流が流れるために部品へのストレスが増大してしまう。
【００２１】
本発明は、前述した課題を解決するためになされたものであり、その目的は、ランプ周囲温度が高温になってランプインピーダンスが小さくなった場合に無駄なランプ電流を抑制してランプ寿命を延命させることができるとともに部品ヘのストレスを低減させることができる放電灯点灯装置および照明装置を提供することにある。
【課題を解決するための手段】
【００２２】
本発明に係る放電灯点灯装置は、直流電源と、直流電源の出力を高周波でスイッチングするスイッチング素子を有するインバータ回路と、インバータ回路の高周波出力が印加されるインダクタとコンデンサからなる共振回路と、共振回路の共振電圧が印加される放電灯と、共振回路の共振電流又は共振電圧を検出する検出回路と、検出回路の検出値に応じ放電灯に供給する電力を目標出力に対して略一定にするべくインバータ回路の動作周波数を可変させる帰還制御回路と、インバータ回路の発振周波数を切り替える発振周波数制御手段と、周囲温度を検知する温度検知部と、周囲温度によって最低動作周波数を高くする手段とを備える。
【００２３】
本発明に係る放電灯点灯装置は、温度検知部により周囲温度が一定の温度以上になると最低動作周波数を高くする手段を備える。
【００２４】
本発明に係る放電灯点灯装置は、温度検知部をインバータ回路部のスイッチング素子もしくは共振回路のインダクタに近接して配置する。
【００２５】
本発明に係る照明装置は、放電灯点灯装置を装着する本体と、放電灯点灯装置から電力が供給される放電灯とを備える。
【発明の効果】
【００２６】
本発明の放電灯点灯装置および照明装置によれば、ランプ周囲温度が高温になってランプインピーダンスが小さくなった場合に無駄なランプ電流を抑制してランプ寿命を延命させることができるとともに部品ヘのストレスを低減させることができるという効果を奏する。
【図面の簡単な説明】
【００２７】
【図１】本発明に係る第１実施形態の放電灯点灯装置を装備した照明装置の斜め下方から視た外観斜視図
【図２】図１の放電灯点灯装置の回路構成図
【図３】図１の放電灯点灯装置の詳細回路構成図
【図４】図１の放電灯点灯装置における周囲温度が高くなった際の動作周波数グラフ
【図５】本発明に係る第２実施形態の放電灯点灯装置の回路構成図
【図６】本発明に係る第３実施形態の放電灯点灯装置を装備した照明装置における回路基板の平面図
【図７】本発明に係る第４実施形態の放電灯点灯装置を装備した照明装置における回路基板の底面図
【図８】従来の放電灯点灯装置の回路構成図
【図９】（Ａ）は正常点灯時の高周波電圧波形図、（Ｂ）は不点灯時の高周波電圧波形図
【図１０】周囲温度が高くなった際のランプインピーダンスグラフ
【図１１】周囲温度が高くなった際の動作周波数グラフ
【発明を実施するための形態】
【００２８】
以下、本発明の複数の実施形態に係る放電灯点灯装置および照明装置について図面を参照して説明する。
【００２９】
（第１実施形態）
図１に示すように、本発明の第１実施形態である照明装置１は、本体２に放電灯点灯装置１０を装備しており、本体２に有する二対のソケット３に放電灯Ｌａを取り付けている。
図２、図３に示すように、本発明の第１実施形態である放電灯点灯装置１０は、直流電源Ｅと、直流電源Ｅを高周波電圧に変換するインバータ回路１１と、バラストチョークＴ１およびコンデンサＣ１からなる共振回路１２と、コンデンサＣ１と並列接続される放電灯Ｌａと、周囲温度を検知し、発振周波数制御回路１４の動作周波数を温度によって変化させる温度検知部１３と、予熱、始動、点灯、の周波数を決定し、インバータ回路１１に与える発振周波数制御回路１４と、フィードバック回路１５と、集積回路ＩＣと、抵抗Ｒ１からなる検出回路１６と、から構成される。
【００３０】
インバータ回路１１は、Ｎチャネル型のＦＥＴであるスイッチング素子Ｑ１と、同じくＮチャネル型のＦＥＴであるスイッチング素子Ｑ２と、検出回路１６を構成する検出抵抗Ｒ１からなる。検出抵抗Ｒ１はスイッチング素子Ｑ１に流れる電流を検出して電圧変換する。インバータ回路１１は、直流電源Ｅの出力端がスイッチング素子Ｑ１のドレイン端子に接続され、スイッチング素子Ｑ１のソース端子がスイッチング素子Ｑ２のドレイン端子に接続されている。スイッチング素子Ｑ２のソース端子は検出回路１６の検出抵抗Ｒ１に接続されており、検出抵抗Ｒ１は回路グラウンドに接続されている。スイッチング素子Ｑ１のゲート端子、スイッチング素子Ｑ２のゲート端子は発振周波数制御回路１４に接続されており、インバータ回路１１の出力端子１７は共振回路１２のバラストチョークＴ１に接続されている。
【００３１】
発振周波数制御回路１４は、抵抗Ｒ２，Ｒ３，Ｒ４，Ｒ５，Ｒ６と、可変抵抗Ｒ７と、コンデンサＣ２，Ｃ３，Ｃ４と、を備え、温度検知部１３を構成する正特性サーミスタＰＴＨ１と、を備える。正特性サーミスタＰＴＨ１は集積回路ＩＣのポートＲｏｓｃに接続されている。
フィードバック回路１５は、オペアンプＯＰ１と、オペアンプＯＰ１の出力端子に接続されたダイオードＤ１と、抵抗Ｒ８，Ｒ９と、コンデンサＣ５と、を備える。
検出回路１６は、抵抗Ｒ１０を通じてオペアンプＯＰ１の−端子に接続されている。
【００３２】
発振周波数制御回路１４は、電源投入後に、集積回路ＩＣのポートＲｐｒeおよびポートＲｓｔｒに接続されている抵抗Ｒ２，Ｒ３による抵抗値と容量値とによって設定される時間経過後、集積回路ＩＣ内においてスイッチが切換わる。これにより、発振周波数制御回路１４は、予熱モード（周波数ｆａ）→始動モード（周波数ｆｂ）→点灯モード（周波数ｆｃ）に周波数を段階的に変化させながらインバータ回路１１を駆動させる。
【００３３】
フィードバック回路１５は、共振回路１２が発生する共振電流を検出抵抗Ｒ１により電圧変換し、この電圧が抵抗Ｒ１０を通じてオペアンプＯＰ１の−端子に与えられる。そして、オペアンプＯＰ１が、−端子に現れる電圧と、＋端子に印加されている基準電圧とを比較することにより双方の電圧が略等しくなるようにインバータ回路１１の動作周波数を可変させる。ここで、オペアンプＯＰ１の−端子に現れる電圧は、共振回路１２の消費電力にほぼ反比例で変化する。そして、共振回路１２の消費電力の大半は共振回路１２の出力電圧が占めている。つまり、フィードバック回路１５は、放電灯Ｌａの出力電圧を略一定に摺るように、インバータ回路１１の動作周波数を可変、即ち定電圧制御を行う。
【００３４】
また、フィードバック回路１５は、予熱および始動モードでは動作せずに、点灯モードでは放電灯の種類または周囲温度によるランプインパーダンスによって、ｆｃ〜ｆｍｉｎの間で放電灯Ｌａの出力電圧を略一定にするように、インバータ回路１１の動作周波数を可変させる動作を行う。
温度検知部１３は、正特性サーミスタＰＴＨ１が集積回路ＩＣのポートＲｏｓｃに接続されているために、最低動作周波数ｆｍｉｎがポートＲｏｓｃに接続されている抵抗Ｒ４による抵抗値により設定されるために、抵抗Ｒ４＋正特性サーミスタＰＴＨ１の容量により決定する。
なお、温度検知部１３として、正特性サーミスタＰＴＨ１に代えて負特性サーミスタ等温度を検知して抵抗が変化する各種素子を適用してもよい。
【００３５】
図４に示すように、放電灯点灯装置１０は、温度検知部１３により高温時の最低動作周波数ｆｍｉｎを高温になるにつれて徐々に上げることが可能であり、それにより、周波数ｆｃｈが周波数ｆｍｉｎにクランプされることにより、高温時に電流を抑制することができるとともに部品への過大なストレスを低減することができる。
【００３６】
従って、この第１実施形態の放電灯点灯装置１０においては、温度検知部１３により周囲温度を検知し、周囲温度によって最低動作周波数を高くする。
これにより、この第１実施形態の放電灯点灯装置１０においては、ランプ周囲温度が高温になってランプインピーダンスが小さくなった場合に最低動作周波数ｆｍｉｎを高温になるにつれて徐々に上げて周波数ｆｃｈを周波数ｆｍｉｎにクランプさせることにより、高温時に無駄なランプ電流を抑制してランプ寿命を延命させることができる。加えて、第１実施形態の放電灯点灯装置１０においては、部品への過大なストレスを低減することができる。
【００３７】
また、この第１実施形態の照明装置１においては、放電灯点灯装置１０により、高温時に電流を抑制することができるために、放電灯Ｌａへの過大なストレスを低減することにより長寿命な照明装置１を提供することができる。
【００３８】
（第２実施形態）
次に、本発明の第２実施形態の放電灯点灯装置について説明する。なお、以下の各実施形態において、上述した第１実施形態と重複する構成要素や機能的に同様な構成要素については、図中に同一符号あるいは相当符号を付することによって説明を簡略化あるいは省略する。
【００３９】
図５に示すように、本発明の第２実施形態の放電灯点灯装置３０は、温度検知部１３に、ＮＰＮ型トランジスタであるスイッチング素子Ｑ３と、抵抗Ｒ１１、Ｒ１２、Ｒ１３を備えている。スイッチング素子Ｑ３は、ベース端子が抵抗Ｒ１１と抵抗Ｒ１２との交点に接続されており、コレクタ端子が集積回路ＩＣのポートＲｏｓｃに、エミッタ端子が抵抗Ｒ１３と抵抗Ｒ４との交点に接続されている。なお、スイッチング素子Ｑ３としては、ＮＰＮ型トランジスタに代えて、ＭＯＳＦＥＴ等のスイッチングを適用しても良い。
【００４０】
放電灯点灯装置３０は、温度検知部１３により検知された周囲温度が、ある一定温度を超えた場合に、スイッチング素子Ｑ３がオンされ、集積回路ＩＣのポートＲｏｓｃの電流を低減させて、最低動作周波数ｆｍｉｎを上げる。
【００４１】
従って、この第２実施形態の放電灯点灯装置３０においては、周囲温度が、ある一定温度を超えた場合に最低動作周波数ｆｍｉｎを上げることにより、高温時に電流を抑制して部品への過大なストレスを低減することができる。
【００４２】
（第３実施形態）
次に、本発明の第３実施形態の放電灯点灯装置について説明する。
図６に示すように、本発明の第３実施形態の放電灯点灯装置４０は、照明装置１の本体２に収容されている回路基板４の上面の端部寄りに共振回路１２のバラストチョークＴ１が配置されており、バラストチョークＴ１の近傍に正特性サーミスタＰＴＨ１が取り付けられている。
【００４３】
従って、この第３実施形態の放電灯点灯装置４０においては、過大なストレスを発生するバラストチョークＴ１を保護することができる。
【００４４】
（第４実施形態）
次に、本発明の第４実施形態の放電灯点灯装置について説明する。
図７に示すように、本発明の第４実施形態の放電灯点灯装置５０は、照明装置１の本体２に収容されている回路基板４の下面の中央部に集積回路ＩＣ、スイッチング素子Ｑ１およびスイッチング素子Ｑ２が配置されており、スイッチング素子Ｑ１およびスイッチング素子Ｑ２の近傍に正特性サーミスタＰＴＨ１が取り付けられている。
【００４５】
従って、この第４実施形態の放電灯点灯装置５０においては、過大なストレスを発生するスイッチング素子Ｑ１およびスイッチング素子Ｑ２を保護することができる。
【００４６】
なお、各実施形態で使用したインバータ回路１１および共振回路１２を構成する電子部品等は例示したものに限定するものではなく適宜変更が可能である。
【符号の説明】
【００４７】
１  照明装置
２  本体
１０、３０、４０、５０  放電灯点灯装置
１１  インバータ回路
１２  共振回路
１３  温度検知部
１４  発振周波数制御回路（発振周波数制御手段）
１５  フィードバック回路（帰還制御回路）
１６  検出回路
Ｅ  直流電源
Ｌａ  放電灯
Ｑ１、Ｑ２  スイッチング素子
Ｔ１  バラストチョーク（インダクタ）
【図１】
2011204554.tif 000003
【図２】
2011204554.tif 000004
【図３】
2011204554.tif 000005
【図４】
2011204554.tif 000006
【図５】
2011204554.tif 000007
【図６】
2011204554.tif 000008
【図７】
2011204554.tif 000009
【図８】
2011204554.tif 000010
【図９】
2011204554.tif 000011
【図１０】
2011204554.tif 000012
【図１１】
2011204554.tif 000013